(57)【要約】【課題】  本発明は多機能LED卓上灯を開示した。【解決手段】ランプロッド及び前記ランプロッドの左側に設置されるランプソケットを含み、前記ランプロッドの中には左方に開口した伸縮チャンバが設けられ、前記伸縮チャンバの中には伸縮ロッドがスライドできるように取付けられ、前記伸縮ロッドの左側端面が前記ランプソケットと固定的に接続され、前記ランプソケットの中には照明部品が設けられる；本発明装置は構造が簡単で、使用が便利で、伸縮及び光調節機能を備え、照射調節便利性を大いに高め、同時に、本発明装置は伝統的なLED卓上灯と区別し、低い使用コストと長い使用寿命等の優れている長所を持ち、普及する価値がある。【選択図】図１
2020145166.tif 000002
【特許請求の範囲】
【請求項１】
ランプロッド及び前記ランプロッドの左側に設置されるランプソケットを含み、前記ランプロッドの中には左方に開口した伸縮チャンバが設けられ、前記伸縮チャンバの中には伸縮ロッドがスライドできるように取付けられ、前記伸縮ロッドの左側端面が前記ランプソケットと固定的に接続され、前記ランプソケットの中には照明部品が設けられる；
前記伸縮ロッドの中にはスライドチャンバが設けられ、前記スライドチャンバの中にはスライド台がスライドできるように取付けられ、前記スライド台の中には第一回転チャンバが設けられ、前記第一回転チャンバの中にはスプラインスリーブが回転できるように係合接続され、前記スプラインスリーブの中には左右に貫通したスプライン溝が設けられ、前記スプライン溝の中には左へ伸びている第一スプライン軸ガ係合取付けられ、前記スライドチャンバの右側内壁の中には駆動モータが固定的に設けられ、前記駆動モータの左側端面には第二スプライン軸が伝動できるように接続され、前記伸縮チャンバの右側内壁の中には第二回転チャンバが設けられ、前記第二回転チャンバの中にはねじ山スリーブが回転できるように係合取付けられ、前記ねじ山スリーブの中には左方に開口したねじ山穴が設けられ、前記ねじ山穴の中にはねじボルトがねじ山によって係合接続され、前記ねじボルトの左側端と前記駆動モータの右側端面とが伝動できるように接続され、前記第二回転チャンバの中には第一ロック部品が設けられる；
前記伸縮ロッドの左側端面の中には第三回転チャンバが設けられ、前記第三回転チャンバの前後端壁の中には第一回転軸が回転できるように係合取付けられ、前記第一回転軸において前から後まで順番に駆動プーリと、第一ロック歯車と第一傘歯車とが固定的に取付けられ、前記第一スプライン軸の左側延伸端が前記第三回転チャンバの中に挿入され、且つ前記第一スプライン軸の左側延伸端には前記第一傘歯車と噛み合う第二傘歯車が固定的に設置され、前記第三回転チャンバの中にはロック解除部品が設置されることを特徴とする多機能LED卓上灯。
【請求項２】
前記ロック解除部品は前記第三回転チャンバの内底壁に設置される第一スライド溝と、前記スライドチャンバの内底壁に設置される第二スライド溝とを含み、前記第一スライド溝の中には前記第一ロック歯車の下方に位置する第一ロックアームがスライドできるように取付けられ、前記第一スライド溝の内底壁には前記第一ロックアームと固定的に接続される第一圧着バネが設置される；
前記第二スライド溝の中には前記スライド台と固定的に接続されるスライドブロックがスライドできるように接続され、前記スライドブロックの右側端面の中には永久磁石が設置され、前記第二スライド溝の右側内壁の中には前記永久磁石と係合される電磁駆動装置が設けられる；
前記第一スライド溝と前記第二スライド溝との間には連通溝が連通して設置され、前記連通溝の中には定滑車が回転できるように係合取付けられ、前記定滑車には引縄が周設され、前記引縄の一端が前記スライドブロックと固定的に接続され、且つもう一端が前記第一ロックアームと固定的に接続されることを特徴とする請求項１に記載の多機能LED卓上灯。
【請求項３】
前記照明部品は前記ランプソケットの底部に固定的に設置されるランプシェードと、前記ランプソケットの中に位置し、且つ前記第三回転チャンバと連通される第四回転チャンバとを含み、前記第四回転チャンバの前後端壁の中には第二回転軸が回転できるように係合取付けられ、前記第二回転軸には回転盤と、前記回転盤の後側に位置する第二伝動輪とが固定的に設置され、前記第二伝動輪と前記第一伝動輪との間が伝動ベルトによって伝動できるように係合接続される；
前記第四回転チャンバの内頂壁には商用電源と電気的に接続される給電シートが設けられ、前記回転盤には時計回りに順番に第一導電ロッドと、第二導電ロッドと第三導電ロッドが設けられ、前記回転盤には反時計回りに順番に第一LEDランプと、第二LEDランプと第三LEDランプが設けられ、前記第一導電ロッドと前記第一LEDランプと電気的に接続され、前記第二導電ロッドと前記第二LEDランプとが電気的に接続され、前記第三導電ロッドと前記第三LEDランプとが電気的に接続される；
前記第一LEDランプと前記第二LEDランプと前記第三LEDランプとの光に強弱が違うため、実際的な照明ニーズに応じて調節できることを特徴とする請求項１に記載の多機能LED卓上灯。
【請求項４】
前記ロック部品は前記第二回転チャンバの上下端壁の中に設置される取付チャンバと、前記取付チャンバの内頂壁の中に設置される第三スライド溝とを含み、前記ねじ山スリーブには前記取付チャンバの中に位置する第二ロック歯車が固定的に設置され、前記第三スライド溝の中には第二ロックアームがスライドできるように取付けられ、前記第二ロックアームの左側端面には左ラックが設けられ、前記第三スライド溝の内頂壁には前記第二ロックアームと固定的に接続される第二圧着バネが設けられる；
前記ランプロッドの頂部端面の中には上方に開口した第四スライド溝が設けられ、前記第四スライド溝の中には前記ランプロッドの頂部端面外まで伸び出ているプッシュロッドがスライドできるように取付けられ、前記プッシュロッドの右側端面には右ラックが設けられ、前記第三スライド溝と前記第四スライド溝との間には第五回転チャンバが連通して設置され、前記第五回転チャンバの前後端壁の中には第三回転軸が回転できるように係合取付けられ、前記第三回転軸には前記左ラックと前記右ラックと噛み合う回転歯車が固定的に設けられる；
前記第四スライド溝の内底壁にはセンサが設けられ、前記センサが前記電磁駆動装置及び前記駆動モータと順次に繋げっていることを特徴とする請求項１に記載の多機能LED卓上灯。
【請求項５】
前記伸縮チャンバの内底壁には案内溝が設けられ、前記案内溝の中には前記伸縮ロッドと固定的に接続される案内ブロックがスライドできるように取付けられることを特徴とする請求項１に記載の多機能LED卓上灯。
【発明の詳細な説明】
【技術分野】
【０００１】
本発明はＬＥＤランプ技術分野に関し、具体的には多機能LED卓上灯である。
【背景技術】
【０００２】
科学技術の発展に伴って、LEDスタンドは伝統光源の代わりに、日常生活に多く使われている。しかし伝統的なLEDスタンドの設置モードは比較的に単一で、単一の照明しか実現できなく、ランプソケットを横に調節することができなく、その照明の区域の局限性が大きく、日常の使用に大変迷惑をかける；
それに、伝統のLEDスタンドは光の色を変更できなく、長時間使うと、目にダメージをもたらし、より大きい欠陥がある；現在に電圧を変えることで光の色を変更するLEDスタンドも存在するものの、その使用コストが高く、それに使用寿命が短いため、目の前の需要を満足できない。
【先行技術文献】
【特許文献】
【０００３】
【特許文献１】中国特許出願公開第108224311号明細書
【発明の概要】
【発明が解決しようとする課題】
【０００４】
本発明は多機能LED卓上灯を提供し、従来技術における上記欠点を解消することを目的とする。
【課題を解決するための手段】
【０００５】
本発明は以下の技術プランにより実現される：本発明の多機能LED卓上灯は、ランプロッド及び前記ランプロッドの左側に設置されるランプソケットを含み、前記ランプロッドの中には左方に開口した伸縮チャンバが設けられ、前記伸縮チャンバの中には伸縮ロッドがスライドできるように取付けられ、前記伸縮ロッドの左側端面が前記ランプソケットと固定的に接続され、前記ランプソケットの中には照明部品が設けられる；
その中、前記伸縮ロッドの中にはスライドチャンバが設けられ、前記スライドチャンバの中にはスライド台がスライドできるように取付けられ、前記スライド台の中には第一回転チャンバが設けられ、前記第一回転チャンバの中にはスプラインスリーブが回転できるように係合接続され、前記スプラインスリーブの中には左右に貫通したスプライン溝が設けられ、前記スプライン溝の中には左へ伸びている第一スプライン軸ガ係合取付けられ、前記スライドチャンバの右側内壁の中には駆動モータが固定的に設けられ、前記駆動モータの左側端面には第二スプライン軸が伝動できるように接続され、前記伸縮チャンバの右側内壁の中には第二回転チャンバが設けられ、前記第二回転チャンバの中にはねじ山スリーブが回転できるように係合取付けられ、前記ねじ山スリーブの中には左方に開口したねじ山穴が設けられ、前記ねじ山穴の中にはねじボルトがねじ山によって係合接続され、前記ねじボルトの左側端と前記駆動モータの右側端面とが伝動できるように接続され、前記第二回転チャンバの中には第一ロック部品が設けられる；
その中、前記伸縮ロッドの左側端面の中には第三回転チャンバが設けられ、前記第三回転チャンバの前後端壁の中には第一回転軸が回転できるように係合取付けられ、前記第一回転軸において前から後まで順番に駆動プーリと、第一ロック歯車と第一傘歯車とが固定的に取付けられ、前記第一スプライン軸の左側延伸端が前記第三回転チャンバの中に挿入され、且つ前記第一スプライン軸の左側延伸端には前記第一傘歯車と噛み合う第二傘歯車が固定的に設置され、前記第三回転チャンバの中にはロック解除部品が設置される。
【０００６】
更の技術プランとして、前記ロック解除部品は前記第三回転チャンバの内底壁に設置される第一スライド溝と、前記スライドチャンバの内底壁に設置される第二スライド溝とを含み、前記第一スライド溝の中には前記第一ロック歯車の下方に位置する第一ロックアームがスライドできるように取付けられ、前記第一スライド溝の内底壁には前記第一ロックアームと固定的に接続される第一圧着バネが設置される；
前記第二スライド溝の中には前記スライド台と固定的に接続されるスライドブロックがスライドできるように接続され、前記スライドブロックの右側端面の中には永久磁石が設置され、前記第二スライド溝の右側内壁の中には前記永久磁石と係合される電磁駆動装置が設けられる；
前記第一スライド溝と前記第二スライド溝との間には連通溝が連通して設置され、前記連通溝の中には定滑車が回転できるように係合取付けられ、前記定滑車には引縄が周設され、前記引縄の一端が前記スライドブロックと固定的に接続され、且つもう一端が前記第一ロックアームと固定的に接続される。
【０００７】
更の技術プランとして、前記照明部品は前記ランプソケットの底部に固定的に設置されるランプシェードと、前記ランプソケットの中に位置し、且つ前記第三回転チャンバと連通される第四回転チャンバとを含み、前記第四回転チャンバの前後端壁の中には第二回転軸が回転できるように係合取付けられ、前記第二回転軸には回転盤と、前記回転盤の後側に位置する第二伝動輪とが固定的に設置され、前記第二伝動輪と前記第一伝動輪との間が伝動ベルトによって伝動できるように係合接続される；
前記第四回転チャンバの内頂壁には商用電源と電気的に接続される給電シートが設けられ、前記回転盤には時計回りに順番に第一導電ロッドと、第二導電ロッドと第三導電ロッドが設けられ、前記回転盤には反時計回りに順番に第一LEDランプと、第二LEDランプと第三LEDランプが設けられ、前記第一導電ロッドと前記第一LEDランプと電気的に接続され、前記第二導電ロッドと前記第二LEDランプとが電気的に接続され、前記第三導電ロッドと前記第三LEDランプとが電気的に接続される；
前記第一LEDランプと前記第二LEDランプと前記第三LEDランプとの光に強弱が違うため、実際的な照明ニーズに応じて調節できる。
【０００８】
更の技術プランとして、前記ロック部品は前記第二回転チャンバの上下端壁の中に設置される取付チャンバと、前記取付チャンバの内頂壁の中に設置される第三スライド溝とを含み、前記ねじ山スリーブには前記取付チャンバの中に位置する第二ロック歯車が固定的に設置され、前記第三スライド溝の中には第二ロックアームがスライドできるように取付けられ、前記第二ロックアームの左側端面には左ラックが設けられ、前記第三スライド溝の内頂壁には前記第二ロックアームと固定的に接続される第二圧着バネが設けられる；
前記ランプロッドの頂部端面の中には上方に開口した第四スライド溝が設けられ、前記第四スライド溝の中には前記ランプロッドの頂部端面外まで伸び出ているプッシュロッドがスライドできるように取付けられ、前記プッシュロッドの右側端面には右ラックが設けられ、前記第三スライド溝と前記第四スライド溝との間には第五回転チャンバが連通して設置され、前記第五回転チャンバの前後端壁の中には第三回転軸が回転できるように係合取付けられ、前記第三回転軸には前記左ラックと前記右ラックと噛み合う回転歯車が固定的に設けられる；
前記第四スライド溝の内底壁にはセンサが設けられ、前記センサが前記電磁駆動装置及び前記駆動モータと順次に繋げっている。
【０００９】
更の技術プランとして、前記伸縮チャンバの内底壁には案内溝が設けられ、前記案内溝の中には前記伸縮ロッドと固定的に接続される案内ブロックがスライドできるように取付けられる。
【発明の効果】
【００１０】
以上により、本発明装置は構造が簡単で、使用が便利で、伸縮及び光調節機能を備え、照射調節便利性を大いに高め、同時に、本発明装置は伝統的なLED卓上灯と区別し、低い使用コストと長い使用寿命等の優れている長所を持ち、普及する価値がある。
【図面の簡単な説明】
【００１１】
説明しやすいため、下記の具体的な実施例と付図を合わせて詳しく説明する。
【００１２】
【図１】図１は本発明の多機能LED卓上灯の構成模式図である；
【図２】図２は図1のＡの拡大構造概略図である；
【図３】図３は図1のＢの拡大構造概略図である；
【図４】図４は図２の矢印の方向の構造概略図である。
【発明を実施するための形態】
【００１３】
１−４図のように、本発明の多機能LED卓上灯は、ランプロッド10及び前記ランプロッド10の左側に設置されるランプソケット50を含み、前記ランプロッド10の中には左方に開口した伸縮チャンバ101が設けられ、前記伸縮チャンバ101の中には伸縮ロッド30がスライドできるように取付けられ、前記伸縮ロッド30の左側端面が前記ランプソケット50と固定的に接続され、前記ランプソケット50の中には照明部品が設けられる；前記伸縮ロッド30の中にはスライドチャンバ11が設けられ、前記スライドチャンバ11の中にはスライド台31がスライドできるように取付けられ、前記スライド台31の中には第一回転チャンバ32が設けられ、前記第一回転チャンバ32の中にはスプラインスリーブ33が回転できるように係合接続され、前記スプラインスリーブ33の中には左右に貫通したスプライン溝34が設けられ、前記スプライン溝34の中には左へ伸びている第一スプライン軸29ガ係合取付けられ、前記スライドチャンバ11の右側内壁の中には駆動モータ13が固定的に設けられ、前記駆動モータ13の左側端面には第二スプライン軸12が伝動できるように接続され、前記伸縮チャンバ101の右側内壁の中には第二回転チャンバ35が設けられ、前記第二回転チャンバ35の中にはねじ山スリーブ36が回転できるように係合取付けられ、前記ねじ山スリーブ36の中には左方に開口したねじ山穴37が設けられ、前記ねじ山穴37の中にはねじボルト38がねじ山によって係合接続され、前記ねじボルト38の左側端と前記駆動モータ13の右側端面とが伝動できるように接続され、前記第二回転チャンバ35の中には第一ロック部品が設けられる；前記伸縮ロッド30の左側端面の中には第三回転チャンバ26が設けられ、前記第三回転チャンバ26の前後端壁の中には第一回転軸25が回転できるように係合取付けられ、前記第一回転軸25において前から後まで順番に駆動プーリ28と、第一ロック歯車62と第一傘歯車63とが固定的に取付けられ、前記第一スプライン軸29の左側延伸端が前記第三回転チャンバ26の中に挿入され、且つ前記第一スプライン軸29の左側延伸端には前記第一傘歯車63と噛み合う第二傘歯車64が固定的に設置され、前記第三回転チャンバ26の中にはロック解除部品が設置される。
【００１４】
有益的に、前記ロック解除部品は前記第三回転チャンバ26の内底壁に設置される第一スライド溝22と、前記スライドチャンバ11の内底壁に設置される第二スライド溝17とを含み、前記第一スライド溝22の中には前記第一ロック歯車62の下方に位置する第一ロックアーム24がスライドできるように取付けられ、前記第一スライド溝22の内底壁には前記第一ロックアーム24と固定的に接続される第一圧着バネ23が設置される；
【００１５】
前記第二スライド溝17の中には前記スライド台31と固定的に接続されるスライドブロック19がスライドできるように接続され、前記スライドブロック19の右側端面の中には永久磁石18が設置され、前記第二スライド溝17の右側内壁の中には前記永久磁石18と係合される電磁駆動装置16が設けられる；
【００１６】
前記第一スライド溝22と前記第二スライド溝17との間には連通溝21が連通して設置され、前記連通溝21の中には定滑車20が回転できるように係合取付けられ、前記定滑車20には引縄200が周設され、前記引縄200の一端が前記スライドブロック19と固定的に接続され、且つもう一端が前記第一ロックアーム24と固定的に接続される。
【００１７】
前記照明部品は前記ランプソケット50の底部に固定的に設置されるランプシェード61と、前記ランプソケット50の中に位置し、且つ前記第三回転チャンバ26と連通される第四回転チャンバ51とを含み、前記第四回転チャンバ51の前後端壁の中には第二回転軸59が回転できるように係合取付けられ、前記第二回転軸59には回転盤60と、前記回転盤60の後側に位置する第二伝動輪とが固定的に設置され、前記第二伝動輪と前記第一伝動輪28との間が伝動ベルト27によって伝動できるように係合接続される；
【００１８】
前記第四回転チャンバ51の内頂壁には商用電源と電気的に接続される給電シート52が設けられ、前記回転盤60には時計回りに順番に第一導電ロッド53と、第二導電ロッド54と第三導電ロッド55が設けられ、前記回転盤60には反時計回りに順番に第一LEDランプ56と、第二LEDランプ57と第三LEDランプ58が設けられ、前記第一導電ロッド53と前記第一LEDランプ56と電気的に接続され、前記第二導電ロッド54と前記第二LEDランプ57とが電気的に接続され、前記第三導電ロッド55と前記第三LEDランプ58とが電気的に接続される；
【００１９】
前記第一LEDランプ56と前記第二LEDランプ57と前記第三LEDランプ58との光に強弱が違うため、実際的な照明ニーズに応じて調節できる。
【００２０】
前記ロック部品は前記第二回転チャンバ35の上下端壁の中に設置される取付チャンバ39と、前記取付チャンバ39の内頂壁の中に設置される第三スライド溝41とを含み、前記ねじ山スリーブ36には前記取付チャンバ39の中に位置する第二ロック歯車40が固定的に設置され、前記第三スライド溝41の中には第二ロックアーム43がスライドできるように取付けられ、前記第二ロックアーム43の左側端面には左ラックが設けられ、前記第三スライド溝41の内頂壁には前記第二ロックアーム43と固定的に接続される第二圧着バネ42が設けられる；
【００２１】
前記ランプロッド10の頂部端面の中には上方に開口した第四スライド溝47が設けられ、前記第四スライド溝47の中には前記ランプロッド10の頂部端面外まで伸び出ているプッシュロッド48がスライドできるように取付けられ、前記プッシュロッド48の右側端面には右ラックが設けられ、前記第三スライド溝41と前記第四スライド溝47との間には第五回転チャンバ44が連通して設置され、前記第五回転チャンバ44の前後端壁の中には第三回転軸45が回転できるように係合取付けられ、前記第三回転軸45には前記左ラックと前記右ラックと噛み合う回転歯車4が固定的に設けられる；
【００２２】
前記第四スライド溝47の内底壁にはセンサ49が設けられ、前記センサ49が前記電磁駆動装置16及び前記駆動モータ13と順次に繋げっている。
【００２３】
前記伸縮チャンバ101の内底壁には案内溝15が設けられ、前記案内溝15の中には前記伸縮ロッド30と固定的に接続される案内ブロック14がスライドできるように取付けられる。
【００２４】
本発明装置は初期状態にある時、前記伸縮ロッド30が完全に前記伸縮チャンバ101の中に収納され、且つ前記ランプソケット50の右側端面が前記ランプロッド10の左側端面と当接し、前記電磁駆動装置16が停電状態にあり、前記第一圧着バネ23に圧着されて前記第一ロックアーム24が前記第一ロック歯車62とロックし係合接続され、前記引縄200に引かれて前記スライドブロック19の左側端面が前記第二スライド溝17の左側内壁と当接し、前記スライド台31の左側端面が前記スライドチャンバ11の左側内壁と当接し、前記第二スプライン軸12と前記スプライン溝34とが離れ、前記第二圧着バネ42に圧着されて前記第二ロックアーム43が前記第二ロック歯車40とロックして係合接続され、前記ねじ山スリーブ36の回転が制限されている。
【００２５】
前記ランプソケット50を左へ調節したい時、前記駆動モータ13を制御して回転させ、前記駆動モータ13が回転した後に前記ねじボルト38を回転駆動させ、この時、前記ねじ山スリーブ36の回転が制限されており、故に、前記ねじボルト38が回転した後に前記伸縮ロッド30を駆動して前記ランプソケット50を連動させて左へ移動させ、適当の照射位置まで着いたら前記駆動モータ13を制御して回転を止めればいい。
【００２６】
照明光の強弱を調節しようとする時、前記プッシュロッド48を手動で押し、前記プッシュロッド48が下へスライドした後に前記回転歯車46を通じて前記第二ロックアーム43を駆動して上にスライドさせることができ、前記第二ロックアーム43が前記第二ロック歯車40と離脱し、且つ頂部端面が前記第三スライド溝41の内頂壁と当接する時、前記ねじ山スリーブ36がアンロックされ、これにより回転できるようになり、この時、前記プッシュロッド48の底部端面が前記第四スライド溝47の内底壁と当接し、前記センサ49が触発され、前記電磁駆動装置16が通電し、前記駆動モータ13が回転し、前記電磁駆動装置16が通電した後に前記永久磁石18を吸い寄せて前記スライドブロック19と前記スライド台31とを連動させて右へスライドさせ、前記スライドブロック19が右へスライドした後に前記引縄200によって前記第一ロックアーム24を引き動かして下へスライドさせて前記第一ロック歯車62と離脱させ、前記スライドブロック19の右側端面が前記第二スライド溝17の右側内壁と当接した後、前記第二スプライン軸12が前記スプライン溝34とスプラインによって係合され、この時、前記ねじ山スリーブ36が回転できるようになったため、前記駆動モータ13が回転した後に前記ねじボルトによって前記ねじ山スリーブ36を連動させて空回りさせ、もう一方で前記第二スプライン軸12によって前記スプラインスリーブ33と、第一スプライン軸29と、第二傘歯車64と、第一傘歯車63と、第一伝動輪28と、第二伝動輪と前記回転盤60を回転駆動させ、前記回転盤60が回転した後に実際のニーズに応じて光調節を行い、異なる光の強弱を持つLEDランプが前記ランプシェード61の中に位置すると、対応する導電ロッドが前記給電シート52と接触し、これによりLEDランプに通電させて照明を行うことができる；、
【００２７】
本発明装置は初期状態にある時、前記第一圧着バネ23の圧着を受けて前記第一ロックアーム24が前記第一ロック歯車62とロックして係合接続されるため、前記回転盤60の予想外の回転を防止でき、照明安定性を高める。
【００２８】
以上により、本発明装置は構造が簡単で、使用が便利で、伸縮及び光調節機能を備え、照射調節便利性を大いに高め、同時に、本発明装置は伝統的なLED卓上灯と区別し、低い使用コストと長い使用寿命等の優れている長所を持ち、普及する価値がある。
【図１】
2020145166.tif 000003
【図２】
2020145166.tif 000004
【図３】
2020145166.tif 000005
【図４】
2020145166.tif 000006
【手続補正書】
【提出日】令和1年5月13日(2019.5.13)
【手続補正１】
【補正対象書類名】特許請求の範囲
【補正対象項目名】全文
【補正方法】変更
【補正の内容】
【特許請求の範囲】
【請求項１】
正面視で左上側に給電シート、右側にねじ山穴を有する多機能LED卓上灯であって、ランプロッド及び前記ランプロッドの左側に設置されるランプソケットを含み、前記ランプロッドの中には左方に開口した伸縮チャンバが設けられ、前記伸縮チャンバの中には伸縮ロッドがスライドできるように取付けられ、前記伸縮ロッドの左側端面が前記ランプソケットと固定的に接続され、前記ランプソケットの中には照明部品が設けられ、
前記伸縮ロッドの中にはスライドチャンバが設けられ、前記スライドチャンバの中にはスライド台がスライドできるように取付けられ、前記スライド台の中には第一回転チャンバが設けられ、前記第一回転チャンバの中にはスプラインスリーブが回転できるように係合接続され、前記スプラインスリーブの中には左右に貫通したスプライン溝が設けられ、前記スプライン溝の中には左へ伸びている第一スプライン軸が係合取付けられ、前記スライドチャンバの右側内壁の中には駆動モータが固定的に設けられ、前記駆動モータの左側端面には第二スプライン軸が伝動できるように接続され、前記伸縮チャンバの右側内壁の中には第二回転チャンバが設けられ、前記第二回転チャンバの中にはねじ山スリーブが回転できるように係合取付けられ、前記ねじ山スリーブの中には左方に開口した前記ねじ山穴が設けられ、前記ねじ山穴の中にはねじボルトがねじ山によって係合接続され、前記ねじボルトの左側端と前記駆動モータの右側端面とが伝動できるように接続され、前記第二回転チャンバの中には第一ロック部品が設けられ、
前記伸縮ロッドの左側端面の中には第三回転チャンバが設けられ、前記第三回転チャンバの前後端壁の中には第一回転軸が回転できるように係合取付けられ、前記第一回転軸において前から後まで順番に駆動プーリと、第一ロック歯車と第一傘歯車とが固定的に取付けられ、前記第一スプライン軸の左側延伸端が前記第三回転チャンバの中に挿入され、且つ前記第一スプライン軸の左側延伸端には前記第一傘歯車と噛み合う第二傘歯車が固定的に設置され、前記第三回転チャンバの中にはロック解除部品が設置されることを特徴とする多機能LED卓上灯。
【請求項２】
前記ロック解除部品は前記第三回転チャンバの内底壁に設置される第一スライド溝と、前記スライドチャンバの内底壁に設置される第二スライド溝とを含み、前記第一スライド溝の中には前記第一ロック歯車の下方に位置する第一ロックアームがスライドできるように取付けられ、前記第一スライド溝の内底壁には前記第一ロックアームと固定的に接続される第一圧着バネが設置され、
前記第二スライド溝の中には前記スライド台と固定的に接続されるスライドブロックがスライドできるように接続され、前記スライドブロックの右側端面の中には永久磁石が設置され、前記第二スライド溝の右側内壁の中には前記永久磁石と係合される電磁駆動装置が設けられ、
前記第一スライド溝と前記第二スライド溝との間には連通溝が連通して設置され、前記連通溝の中には定滑車が回転できるように係合取付けられ、前記定滑車には引縄が周設され、前記引縄の一端が前記スライドブロックと固定的に接続され、且つもう一端が前記第一ロックアームと固定的に接続されることを特徴とする請求項１に記載の多機能LED卓上灯。
【請求項３】
前記照明部品は前記ランプソケットの底部に固定的に設置されるランプシェードと、前記ランプソケットの中に位置し、且つ前記第三回転チャンバと連通される第四回転チャンバとを含み、前記第四回転チャンバの前後端壁の中には第二回転軸が回転できるように係合取付けられ、前記第二回転軸には回転盤と、前記回転盤の後側に位置する第二伝動輪とが固定的に設置され、前記第二伝動輪と第一伝動輪との間が伝動ベルトによって伝動できるように係合接続され、
前記第四回転チャンバの内頂壁には商用電源と電気的に接続される前記給電シートが設けられ、前記回転盤には時計回りに順番に第一導電ロッドと、第二導電ロッドと第三導電ロッドが設けられ、前記回転盤には反時計回りに順番に第一LEDランプと、第二LEDランプと第三LEDランプが設けられ、前記第一導電ロッドと前記第三LEDランプとが電気的に接続され、前記第二導電ロッドと前記第二LEDランプとが電気的に接続され、前記第三導電ロッドと前記第一LEDランプとが電気的に接続され、
前記第一LEDランプと前記第二LEDランプと前記第三LEDランプとの光に強弱が違うため、実際的な照明ニーズに応じて調節できることを特徴とする請求項１に記載の多機能LED卓上灯。
【請求項４】
前記ロック部品は前記第二回転チャンバの上下端壁の中に設置される取付チャンバと、前記取付チャンバの内頂壁の中に設置される第三スライド溝とを含み、前記ねじ山スリーブには前記取付チャンバの中に位置する第二ロック歯車が固定的に設置され、前記第三スライド溝の中には第二ロックアームがスライドできるように取付けられ、前記第二ロックアームの左側端面には左ラックが設けられ、前記第三スライド溝の内頂壁には前記第二ロックアームと固定的に接続される第二圧着バネが設けられ、
前記ランプロッドの頂部端面の中には上方に開口した第四スライド溝が設けられ、前記第四スライド溝の中には前記ランプロッドの頂部端面外まで伸び出ているプッシュロッドがスライドできるように取付けられ、前記プッシュロッドの右側端面には右ラックが設けられ、前記第三スライド溝と前記第四スライド溝との間には第五回転チャンバが連通して設置され、前記第五回転チャンバの前後端壁の中には第三回転軸が回転できるように係合取付けられ、前記第三回転軸には前記左ラックと前記右ラックと噛み合う回転歯車が固定的に設けられ、
前記第四スライド溝の内底壁にはセンサが設けられ、前記センサが前記電磁駆動装置及び前記駆動モータと順次に繋がっていることを特徴とする請求項１又は請求項２に記載の多機能LED卓上灯。
【請求項５】
前記伸縮チャンバの内底壁には案内溝が設けられ、前記案内溝の中には前記伸縮ロッドと固定的に接続される案内ブロックがスライドできるように取付けられることを特徴とする請求項１に記載の多機能LED卓上灯。
【手続補正２】
【補正対象書類名】明細書
【補正対象項目名】全文
【補正方法】変更
【補正の内容】
【発明の詳細な説明】
【技術分野】
【０００１】
本発明はＬＥＤランプ技術分野に関し、具体的には多機能LED卓上灯である。
【背景技術】
【０００２】
科学技術の発展に伴って、LEDスタンドは伝統光源の代わりに、日常生活に多く使われている。しかし伝統的なLEDスタンドの設置モードは比較的に単一で、単一の照明しか実現できなく、ランプソケットを横に調節することができなく、その照明の区域の局限性が大きく、日常の使用に大変迷惑をかける。
それに、伝統のLEDスタンドは光の色を変更できなく、長時間使うと、目にダメージをもたらし、より大きい欠陥がある。現在に電圧を変えることで光の色を変更するLEDスタンドも存在するものの、その使用コストが高く、それに使用寿命が短いため、目の前の需要を満足できない。
【先行技術文献】
【特許文献】
【０００３】
【特許文献１】中国特許出願公開第108224311号明細書
【発明の概要】
【発明が解決しようとする課題】
【０００４】
本発明は多機能LED卓上灯を提供し、従来技術における上記欠点を解消することを目的とする。
【課題を解決するための手段】
【０００５】
本発明は以下の技術プランにより実現される：本発明の多機能LED卓上灯は、ランプロッド及び前記ランプロッドの左側に設置されるランプソケットを含み、前記ランプロッドの中には左方に開口した伸縮チャンバが設けられ、前記伸縮チャンバの中には伸縮ロッドがスライドできるように取付けられ、前記伸縮ロッドの左側端面が前記ランプソケットと固定的に接続され、前記ランプソケットの中には照明部品が設けられ、
その中、前記伸縮ロッドの中にはスライドチャンバが設けられ、前記スライドチャンバの中にはスライド台がスライドできるように取付けられ、前記スライド台の中には第一回転チャンバが設けられ、前記第一回転チャンバの中にはスプラインスリーブが回転できるように係合接続され、前記スプラインスリーブの中には左右に貫通したスプライン溝が設けられ、前記スプライン溝の中には左へ伸びている第一スプライン軸が係合取付けられ、前記スライドチャンバの右側内壁の中には駆動モータが固定的に設けられ、前記駆動モータの左側端面には第二スプライン軸が伝動できるように接続され、前記伸縮チャンバの右側内壁の中には第二回転チャンバが設けられ、前記第二回転チャンバの中にはねじ山スリーブが回転できるように係合取付けられ、前記ねじ山スリーブの中には左方に開口したねじ山穴が設けられ、前記ねじ山穴の中にはねじボルトがねじ山によって係合接続され、前記ねじボルトの左側端と前記駆動モータの右側端面とが伝動できるように接続され、前記第二回転チャンバの中には第一ロック部品が設けられ、
その中、前記伸縮ロッドの左側端面の中には第三回転チャンバが設けられ、前記第三回転チャンバの前後端壁の中には第一回転軸が回転できるように係合取付けられ、前記第一回転軸において前から後まで順番に駆動プーリと、第一ロック歯車と第一傘歯車とが固定的に取付けられ、前記第一スプライン軸の左側延伸端が前記第三回転チャンバの中に挿入され、且つ前記第一スプライン軸の左側延伸端には前記第一傘歯車と噛み合う第二傘歯車が固定的に設置され、前記第三回転チャンバの中にはロック解除部品が設置される。
【０００６】
更の技術プランとして、前記ロック解除部品は前記第三回転チャンバの内底壁に設置される第一スライド溝と、前記スライドチャンバの内底壁に設置される第二スライド溝とを含み、前記第一スライド溝の中には前記第一ロック歯車の下方に位置する第一ロックアームがスライドできるように取付けられ、前記第一スライド溝の内底壁には前記第一ロックアームと固定的に接続される第一圧着バネが設置され、
前記第二スライド溝の中には前記スライド台と固定的に接続されるスライドブロックがスライドできるように接続され、前記スライドブロックの右側端面の中には永久磁石が設置され、前記第二スライド溝の右側内壁の中には前記永久磁石と係合される電磁駆動装置が設けられ、
前記第一スライド溝と前記第二スライド溝との間には連通溝が連通して設置され、前記連通溝の中には定滑車が回転できるように係合取付けられ、前記定滑車には引縄が周設され、前記引縄の一端が前記スライドブロックと固定的に接続され、且つもう一端が前記第一ロックアームと固定的に接続される。
【０００７】
更の技術プランとして、前記照明部品は前記ランプソケットの底部に固定的に設置されるランプシェードと、前記ランプソケットの中に位置し、且つ前記第三回転チャンバと連通される第四回転チャンバとを含み、前記第四回転チャンバの前後端壁の中には第二回転軸が回転できるように係合取付けられ、前記第二回転軸には回転盤と、前記回転盤の後側に位置する第二伝動輪とが固定的に設置され、前記第二伝動輪と第一伝動輪との間が伝動ベルトによって伝動できるように係合接続され、
前記第四回転チャンバの内頂壁には商用電源と電気的に接続される給電シートが設けられ、前記回転盤には時計回りに順番に第一導電ロッドと、第二導電ロッドと第三導電ロッドが設けられ、前記回転盤には反時計回りに順番に第一LEDランプと、第二LEDランプと第三LEDランプが設けられ、前記第一導電ロッドと前記第三LEDランプとが電気的に接続され、前記第二導電ロッドと前記第二LEDランプとが電気的に接続され、前記第三導電ロッドと前記第一LEDランプとが電気的に接続され、
前記第一LEDランプと前記第二LEDランプと前記第三LEDランプとの光に強弱が違うため、実際的な照明ニーズに応じて調節できる。
【０００８】
更の技術プランとして、前記ロック部品は前記第二回転チャンバの上下端壁の中に設置される取付チャンバと、前記取付チャンバの内頂壁の中に設置される第三スライド溝とを含み、前記ねじ山スリーブには前記取付チャンバの中に位置する第二ロック歯車が固定的に設置され、前記第三スライド溝の中には第二ロックアームがスライドできるように取付けられ、前記第二ロックアームの左側端面には左ラックが設けられ、前記第三スライド溝の内頂壁には前記第二ロックアームと固定的に接続される第二圧着バネが設けられ、
前記ランプロッドの頂部端面の中には上方に開口した第四スライド溝が設けられ、前記第四スライド溝の中には前記ランプロッドの頂部端面外まで伸び出ているプッシュロッドがスライドできるように取付けられ、前記プッシュロッドの右側端面には右ラックが設けられ、前記第三スライド溝と前記第四スライド溝との間には第五回転チャンバが連通して設置され、前記第五回転チャンバの前後端壁の中には第三回転軸が回転できるように係合取付けられ、前記第三回転軸には前記左ラックと前記右ラックと噛み合う回転歯車が固定的に設けられ、
前記第四スライド溝の内底壁にはセンサが設けられ、前記センサが前記電磁駆動装置及び前記駆動モータと順次に繋がっている。
【０００９】
更の技術プランとして、前記伸縮チャンバの内底壁には案内溝が設けられ、前記案内溝の中には前記伸縮ロッドと固定的に接続される案内ブロックがスライドできるように取付けられる。
【発明の効果】
【００１０】
以上により、本発明装置は構造が簡単で、使用が便利で、伸縮及び光調節機能を備え、照射調節便利性を大いに高め、同時に、本発明装置は伝統的なLED卓上灯と区別し、低い使用コストと長い使用寿命等の優れている長所を持ち、普及する価値がある。
【図面の簡単な説明】
【００１１】
説明しやすいため、下記の具体的な実施例と付図を合わせて詳しく説明する。
【００１２】
【図１】図１は本発明の多機能LED卓上灯の構成模式図
【図２】図２は図1のＡの拡大構造概略図
【図３】図３は図1のＢの拡大構造概略図
【図４】図４は図２の矢印の方向の構造概略図
【発明を実施するための形態】
【００１３】
１−４図のように、本発明の多機能LED卓上灯は、ランプロッド10及び前記ランプロッド10の左側に設置されるランプソケット50を含み、前記ランプロッド10の中には左方に開口した伸縮チャンバ101が設けられ、前記伸縮チャンバ101の中には伸縮ロッド30がスライドできるように取付けられ、前記伸縮ロッド30の左側端面が前記ランプソケット50と固定的に接続され、前記ランプソケット50の中には照明部品が設けられ、
前記伸縮ロッド30の中にはスライドチャンバ11が設けられ、前記スライドチャンバ11の中にはスライド台31がスライドできるように取付けられ、前記スライド台31の中には第一回転チャンバ32が設けられ、前記第一回転チャンバ32の中にはスプラインスリーブ33が回転できるように係合接続され、前記スプラインスリーブ33の中には左右に貫通したスプライン溝34が設けられ、前記スプライン溝34の中には左へ伸びている第一スプライン軸29が係合取付けられ、前記スライドチャンバ11の右側内壁の中には駆動モータ13が固定的に設けられ、前記駆動モータ13の左側端面には第二スプライン軸12が伝動できるように接続され、前記伸縮チャンバ101の右側内壁の中には第二回転チャンバ35が設けられ、前記第二回転チャンバ35の中にはねじ山スリーブ36が回転できるように係合取付けられ、前記ねじ山スリーブ36の中には左方に開口したねじ山穴37が設けられ、前記ねじ山穴37の中にはねじボルト38がねじ山によって係合接続され、前記ねじボルト38の左側端と前記駆動モータ13の右側端面とが伝動できるように接続され、前記第二回転チャンバ35の中には第一ロック部品が設けられ、
前記伸縮ロッド30の左側端面の中には第三回転チャンバ26が設けられ、前記第三回転チャンバ26の前後端壁の中には第一回転軸25が回転できるように係合取付けられ、前記第一回転軸25において前から後まで順番に駆動プーリ28と、第一ロック歯車62と第一傘歯車63とが固定的に取付けられ、前記第一スプライン軸29の左側延伸端が前記第三回転チャンバ26の中に挿入され、且つ前記第一スプライン軸29の左側延伸端には前記第一傘歯車63と噛み合う第二傘歯車64が固定的に設置され、前記第三回転チャンバ26の中にはロック解除部品が設置される。
【００１４】
有益的に、前記ロック解除部品は前記第三回転チャンバ26の内底壁に設置される第一スライド溝22と、前記スライドチャンバ11の内底壁に設置される第二スライド溝17とを含み、前記第一スライド溝22の中には前記第一ロック歯車62の下方に位置する第一ロックアーム24がスライドできるように取付けられ、前記第一スライド溝22の内底壁には前記第一ロックアーム24と固定的に接続される第一圧着バネ23が設置される。
【００１５】
前記第二スライド溝17の中には前記スライド台31と固定的に接続されるスライドブロック19がスライドできるように接続され、前記スライドブロック19の右側端面の中には永久磁石18が設置され、前記第二スライド溝17の右側内壁の中には前記永久磁石18と係合される電磁駆動装置16が設けられる。
【００１６】
前記第一スライド溝22と前記第二スライド溝17との間には連通溝21が連通して設置され、前記連通溝21の中には定滑車20が回転できるように係合取付けられ、前記定滑車20には引縄200が周設され、前記引縄200の一端が前記スライドブロック19と固定的に接続され、且つもう一端が前記第一ロックアーム24と固定的に接続される。
【００１７】
前記照明部品は前記ランプソケット50の底部に固定的に設置されるランプシェード61と、前記ランプソケット50の中に位置し、且つ前記第三回転チャンバ26と連通される第四回転チャンバ51とを含み、前記第四回転チャンバ51の前後端壁の中には第二回転軸59が回転できるように係合取付けられ、前記第二回転軸59には回転盤60と、前記回転盤60の後側に位置する第二伝動輪とが固定的に設置され、前記第二伝動輪と第一伝動輪28との間が伝動ベルト27によって伝動できるように係合接続される。
【００１８】
前記第四回転チャンバ51の内頂壁には商用電源と電気的に接続される給電シート52が設けられ、前記回転盤60には時計回りに順番に第一導電ロッド53と、第二導電ロッド54と第三導電ロッド55が設けられ、前記回転盤60には反時計回りに順番に第一LEDランプ56と、第二LEDランプ57と第三LEDランプ58が設けられ、前記第一導電ロッド53と前記第三LEDランプ58とが電気的に接続され、前記第二導電ロッド54と前記第二LEDランプ57とが電気的に接続され、前記第三導電ロッド55と前記第一LEDランプ56とが電気的に接続される。
【００１９】
前記第一LEDランプ56と前記第二LEDランプ57と前記第三LEDランプ58との光に強弱が違うため、実際的な照明ニーズに応じて調節できる。
【００２０】
前記ロック部品は前記第二回転チャンバ35の上下端壁の中に設置される取付チャンバ39と、前記取付チャンバ39の内頂壁の中に設置される第三スライド溝41とを含み、前記ねじ山スリーブ36には前記取付チャンバ39の中に位置する第二ロック歯車40が固定的に設置され、前記第三スライド溝41の中には第二ロックアーム43がスライドできるように取付けられ、前記第二ロックアーム43の左側端面には左ラックが設けられ、前記第三スライド溝41の内頂壁には前記第二ロックアーム43と固定的に接続される第二圧着バネ42が設けられる。
【００２１】
前記ランプロッド10の頂部端面の中には上方に開口した第四スライド溝47が設けられ、前記第四スライド溝47の中には前記ランプロッド10の頂部端面外まで伸び出ているプッシュロッド48がスライドできるように取付けられ、前記プッシュロッド48の右側端面には右ラックが設けられ、前記第三スライド溝41と前記第四スライド溝47との間には第五回転チャンバ44が連通して設置され、前記第五回転チャンバ44の前後端壁の中には第三回転軸45が回転できるように係合取付けられ、前記第三回転軸45には前記左ラックと前記右ラックと噛み合う回転歯車4が固定的に設けられる。
【００２２】
前記第四スライド溝47の内底壁にはセンサ49が設けられ、前記センサ49が前記電磁駆動装置16及び前記駆動モータ13と順次に繋がっている。
【００２３】
前記伸縮チャンバ101の内底壁には案内溝15が設けられ、前記案内溝15の中には前記伸縮ロッド30と固定的に接続される案内ブロック14がスライドできるように取付けられる。
【００２４】
本発明装置は初期状態にある時、前記伸縮ロッド30が完全に前記伸縮チャンバ101の中に収納され、且つ前記ランプソケット50の右側端面が前記ランプロッド10の左側端面と当接し、前記電磁駆動装置16が停電状態にあり、前記第一圧着バネ23に圧着されて前記第一ロックアーム24が前記第一ロック歯車62とロックし係合接続され、前記引縄200に引かれて前記スライドブロック19の左側端面が前記第二スライド溝17の左側内壁と当接し、前記スライド台31の左側端面が前記スライドチャンバ11の左側内壁と当接し、前記第二スプライン軸12と前記スプライン溝34とが離れ、前記第二圧着バネ42に圧着されて前記第二ロックアーム43が前記第二ロック歯車40とロックして係合接続され、前記ねじ山スリーブ36の回転が制限されている。
【００２５】
前記ランプソケット50を左へ調節したい時、前記駆動モータ13を制御して回転させ、前記駆動モータ13が回転した後に前記ねじボルト38を回転駆動させ、この時、前記ねじ山スリーブ36の回転が制限されており、故に、前記ねじボルト38が回転した後に前記伸縮ロッド30を駆動して前記ランプソケット50を連動させて左へ移動させ、適当の照射位置まで着いたら前記駆動モータ13を制御して回転を止めればいい。
【００２６】
照明光の強弱を調節しようとする時、前記プッシュロッド48を手動で押し、前記プッシュロッド48が下へスライドした後に前記回転歯車46を通じて前記第二ロックアーム43を駆動して上にスライドさせることができ、前記第二ロックアーム43が前記第二ロック歯車40と離脱し、且つ頂部端面が前記第三スライド溝41の内頂壁と当接する時、前記ねじ山スリーブ36がアンロックされ、これにより回転できるようになり、この時、前記プッシュロッド48の底部端面が前記第四スライド溝47の内底壁と当接し、前記センサ49が触発され、前記電磁駆動装置16が通電し、前記駆動モータ13が回転し、前記電磁駆動装置16が通電した後に前記永久磁石18を吸い寄せて前記スライドブロック19と前記スライド台31とを連動させて右へスライドさせ、前記スライドブロック19が右へスライドした後に前記引縄200によって前記第一ロックアーム24を引き動かして下へスライドさせて前記第一ロック歯車62と離脱させ、前記スライドブロック19の右側端面が前記第二スライド溝17の右側内壁と当接した後、前記第二スプライン軸12が前記スプライン溝34とスプラインによって係合され、この時、前記ねじ山スリーブ36が回転できるようになったため、前記駆動モータ13が回転した後に前記ねじボルトによって前記ねじ山スリーブ36を連動させて空回りさせ、もう一方で前記第二スプライン軸12によって前記スプラインスリーブ33と、第一スプライン軸29と、第二傘歯車64と、第一傘歯車63と、第一伝動輪28と、第二伝動輪と前記回転盤60を回転駆動させ、前記回転盤60が回転した後に実際のニーズに応じて光調節を行い、異なる光の強弱を持つLEDランプが前記ランプシェード61の中に位置すると、対応する導電ロッドが前記給電シート52と接触し、これによりLEDランプに通電させて照明を行うことができる。
【００２７】
本発明装置は初期状態にある時、前記第一圧着バネ23の圧着を受けて前記第一ロックアーム24が前記第一ロック歯車62とロックして係合接続されるため、前記回転盤60の予想外の回転を防止でき、照明安定性を高める。
【００２８】
以上により、本発明装置は構造が簡単で、使用が便利で、伸縮及び光調節機能を備え、照射調節便利性を大いに高め、同時に、本発明装置は伝統的なLED卓上灯と区別し、低い使用コストと長い使用寿命等の優れている長所を持ち、普及する価値がある。
【手続補正書】
【提出日】令和1年7月10日(2019.7.10)
【手続補正１】
【補正対象書類名】特許請求の範囲
【補正対象項目名】請求項４
【補正方法】変更
【補正の内容】
【請求項４】
前記ロック部品は前記第二回転チャンバの上下端壁の中に設置される取付チャンバと、前記取付チャンバの内頂壁の中に設置される第三スライド溝とを含み、前記ねじ山スリーブには前記取付チャンバの中に位置する第二ロック歯車が固定的に設置され、前記第三スライド溝の中には第二ロックアームがスライドできるように取付けられ、前記第二ロックアームの左側端面には左ラックが設けられ、前記第三スライド溝の内頂壁には前記第二ロックアームと固定的に接続される第二圧着バネが設けられ、
前記ランプロッドの頂部端面の中には上方に開口した第四スライド溝が設けられ、前記第四スライド溝の中には前記ランプロッドの頂部端面外まで伸び出ているプッシュロッドがスライドできるように取付けられ、前記プッシュロッドの右側端面には右ラックが設けられ、前記第三スライド溝と前記第四スライド溝との間には第五回転チャンバが連通して設置され、前記第五回転チャンバの前後端壁の中には第三回転軸が回転できるように係合取付けられ、前記第三回転軸には前記左ラックと前記右ラックと噛み合う回転歯車が固定的に設けられ、
前記第四スライド溝の内底壁にはセンサが設けられ、前記センサが前記電磁駆動装置及び前記駆動モータと順次に繋がっていることを特徴とする請求項２に記載の多機能LED卓上灯。